(57)【要約】【課題】記入された画像の特徴を予め指定しなくても、記入された画像を抽出することが可能な画像処理装置、画像処理システム、及び画像処理プログラムを提供することを目的とする。【解決手段】解答者記入欄、採点者記入欄、及びコメント者記入欄が設けられた答案用紙を読み取った読取画像を生成し（１００）、読取画像から記入者毎に記入した部分に対応する画像を抽出する際に、記入者毎の記入欄から各記入者の特徴として各記入欄に記入する際の色を特徴として特定し（１１０）、読取画像から色毎に画像を抽出することで、記入者毎に記入した部分に対応する画像を抽出し、抽出された画像をＨＤＤに格納する（１１４）。【選択図】図９
2019149616.tif 000002
【特許請求の範囲】
【請求項１】
記入者が記入するための領域を有する対象用紙を読み取った読取画像から前記領域の画像の特徴を特定し、特定した前記特徴に対応する画像を前記読取画像から抽出する抽出部と、
前記抽出部によって抽出された画像を格納する格納部と、
を含む画像処理装置。
【請求項２】
前記特徴は、前記領域内の画像の色及び前記領域内の画像の線の太さの少なくとも一方である請求項１に記載の画像処理装置。
【請求項３】
前記特徴が前記領域内の画像の色である場合、
前記対象用紙は、予め定めた共通画像が印刷され、
前記読取画像は、前記共通画像とは異なる色で前記領域に記入された画像である請求項２に記載の画像処理装置。
【請求項４】
前記領域は、それぞれ異なる記入者が記入する少なくとも２以上の領域によって成り、
前記抽出部が、前記読取画像から前記領域毎の特徴を特定し、特定した前記特徴に対応する画像を前記特徴毎に前記読取画像から抽出する請求項１〜３の何れか１項に記載の画像処理装置。
【請求項５】
前記対象用紙は、解答者用の領域、採点者用の領域、及びコメント者用の領域の少なくとも２以上の領域を備えた答案用紙である請求項４に記載の画像処理装置。
【請求項６】
前記解答者用の領域は、解答者の識別情報が記入される領域であり、前記採点者用の領域は、採点者による採点結果が記入される領域であり、前記コメント者用の領域は、コメント者によるコメントが記入される領域である請求項５に記載の画像処理装置。
【請求項７】
前記格納部に格納された前記特徴毎に抽出された画像のうち、指定された画像を組み合わせて出力する出力部を更に備えた請求項４〜６の何れか１項に記載の画像処理装置。
【請求項８】
前記特徴が前記領域内の画像の色であり、他の前記対象用紙と異なる色で記入された前記領域がある場合に、他の前記対象用紙の前記領域の記入色に合わせて色を補正する補正部を更に備えた請求項１〜７の何れか１項に記載の画像処理装置。
【請求項９】
前記対象用紙は、予め定めた共通画像が印刷されている場合、
前記共通画像を取り除いてから前記抽出部による抽出を行う請求項１〜８の何れか１項に記載の画像処理装置。
【請求項１０】
記入者が記入するための領域を有する対象用紙を読み取った読取画像から前記領域の画像の特徴を特定し、特定した前記特徴に対応する画像を前記読取画像から抽出する抽出部と、前記抽出部によって抽出した画像を出力する出力部と、を備えた画像処理装置と、
前記出力部によって出力された画像を格納する格納部を備えたサーバと、
を含む画像処理システム。
【請求項１１】
コンピュータを、請求項１〜９の何れか１項に記載の画像処理装置を構成する抽出部として機能させるための画像処理プログラム。
【発明の詳細な説明】
【技術分野】
【０００１】
本発明は、画像処理装置、画像処理システム、及び画像処理プログラムに関する。
【背景技術】
【０００２】
特許文献１には、添削答案の現画像中に、補足画像、採点情報、及びその他の画像を含み、かつそれぞれ異なる色の場合に、色や枠を指定することにより、画像を抽出することが記載されている。
【０００３】
また、特許文献２には、コメントが記入された用紙からコメント専用の色成分画像をコメント画像として抽出することや、用紙の予め定めた領域内にある画像をコメント画像として抽出することが提案されている。
【先行技術文献】
【特許文献】
【０００４】
【特許文献１】特開２０１７−０７３７１５号公報
【特許文献２】特許第４９２４２９４号公報
【発明の概要】
【発明が解決しようとする課題】
【０００５】
対象用紙に記入された画像を記入者毎に抽出する場合には、記入時の色や記入する枠などの領域を予め指定する必要があった。本発明は、記入された画像の特徴を予め指定しなくても、記入された画像を抽出することが可能な画像処理装置、画像処理システム、及び画像処理プログラムを提供することを目的とする。
【課題を解決するための手段】
【０００６】
請求項１に記載の画像処理装置は、記入者が記入するための領域を有する対象用紙を読み取った読取画像から前記領域の画像の特徴を特定し、特定した前記特徴に対応する画像を前記読取画像から抽出する抽出部と、前記抽出部によって抽出された画像を格納する格納部と、を含む。
【０００７】
請求項２に記載の発明は、請求項１に記載の発明において、前記特徴は、前記領域内の画像の色及び前記領域内の画像の線の太さの少なくとも一方である。
【０００８】
請求項３に記載の発明は、請求項２に記載の発明において、前記特徴が前記領域内の画像の色である場合、前記対象用紙は、予め定めた共通画像が印刷され、前記読取画像は、前記共通画像とは異なる色で前記領域に記入された画像である。
【０００９】
請求項４に記載の発明は、請求項１〜３の何れか１項に記載の発明において、前記領域は、それぞれ異なる記入者が記入する少なくとも２以上の領域によって成り、前記抽出部が、前記読取画像から前記領域毎の特徴を特定し、特定した前記特徴に対応する画像を前記特徴毎に前記読取画像から抽出する。
【００１０】
請求項５に記載の発明は、請求項４に記載の発明において、前記対象用紙は、解答者用の領域、採点者用の領域、及びコメント者用の領域の少なくとも２以上の領域を備えた答案用紙である。
【００１１】
請求項６に記載の発明は、請求項５に記載の発明において、前記解答者用の領域は、解答者の識別情報が記入される領域であり、前記採点者用の領域は、採点者による採点結果が記入される領域であり、前記コメント者用の領域は、コメント者によるコメントが記入される領域である。
【００１２】
請求項７に記載の発明は、請求項４〜６の何れか１項に記載の発明において、前記格納部に格納された前記特徴毎に抽出された画像のうち、指定された画像を組み合わせて出力する出力部を更に備えた。
【００１３】
請求項８に記載の発明は、請求項１〜７の何れか１項に記載の発明において、前記特徴が前記領域内の画像の色であり、他の前記対象用紙と異なる色で記入された前記領域がある場合に、他の前記対象用紙の前記領域の記入色に合わせて色を補正する補正部を更に備えた。
【００１４】
請求項９に記載の発明は、請求項１〜８の何れか１項に記載の発明において、前記対象用紙は、予め定めた共通画像が印刷されている場合、前記共通画像を取り除いてから前記抽出部による抽出を行う。
【００１５】
請求項１０に記載の画像処理システムは、記入者が記入するための領域を有する対象用紙を読み取った読取画像から前記領域の画像の特徴を特定し、特定した前記特徴に対応する画像を前記読取画像から抽出する抽出部と、前記抽出部によって抽出した画像を出力する出力部と、を備えた画像処理装置と、前記出力部によって出力された画像を格納する格納部を備えたサーバと、を含む。
【００１６】
請求項１１に記載の画像処理プログラムは、コンピュータを、請求項１〜９の何れか１項に記載の画像処理装置を構成する抽出部として機能させる。
【発明の効果】
【００１７】
請求項１に記載の画像処理装置によれば、記入された画像の特徴を予め指定しなくても、記入された画像を抽出することが可能な画像処理装置を提供できる。
【００１８】
請求項２に記載の発明によれば、記入者を特定することが可能となる。
【００１９】
請求項３に記載の発明によれば、記入された画像の特徴を予め指定しなくても、記入者の特徴を特定して共通画像以外の記入者が記入者した画像を抽出できる。
【００２０】
請求項４に記載の発明によれば、複数の記入者によって記入されている対象用紙であっても、記入された画像の特徴を予め指定することなく、記入者毎に記入された画像を抽出できる。
【００２１】
請求項５に記載の発明によれば、記入された画像の特徴を予め指定しなくても、答案用紙から解答者が記入した画像、採点者が記入した画像、及びコメント者が記入した画像のそれぞれを抽出できる。
【００２２】
請求項６に記載の発明によれば、記入された画像の特徴を予め指定しなくても、解答者が記入した識別情報の画像、採点者が記入した採点結果の画像、及びコメント者が記入したコメントの画像のそれぞれを抽出できる。
【００２３】
請求項７に記載の発明によれば、必要に応じて記入者毎の画像を組み合わせた画像を得ることが可能となる。
【００２４】
請求項８に記載の発明によれば、記入者が間違った色で記入しても他の記入者が使用した色と同じ色に補正することが可能となる。
【００２５】
請求項９に記載の発明によれば、対象用紙に共通画像が印刷されていても、記入された画像の特徴を予め指定することなく、記入された画像を抽出できる。
【００２６】
請求項１０に記載の画像処理システムによれば、記入された画像の特徴を予め指定しなくても、記入された画像を抽出することが可能な画像処理システムを提供できる。
【００２７】
請求項１１に記載の画像処理プログラムによれば、記入された画像の特徴を予め指定しなくても、記入された画像を抽出することが可能な画像処理プログラムを提供できる。
【図面の簡単な説明】
【００２８】
【図１】本実施形態に係る画像処理システムの概略構成を示す図である。
【図２】本実施形態に係る画像形成装置の電気系の要部構成を示すブロック図である。
【図３】本実施形態に係る情報処理装置及びサーバの電気系の要部構成を示すブロック図である。
【図４】（Ａ）は答案用紙の一例を示す模式図であり、（Ｂ）は答案用紙の記入欄の位置、記入者、及び記入欄の例を示す図である。
【図５】答案用紙への記入の様子を示す模式図である。
【図６】（Ａ）は答案登録の画面の一例を示す図であり、（Ｂ）は答案登録の画面の他の例を示す図である。
【図７】答案用紙の各記入欄に対する記入者と記入する際の色の一例を示す図である。
【図８】本実施形態に係る画像処理システムにおいて、答案用紙を読み取ってサーバに登録するまでの様子を示す模式図である。
【図９】本実施形態に係る画像処理システムのコントロール・ユニットで行われる処理の流れの一例を示すフローチャートである。
【図１０】本実施形態に係る画像処理システムのサーバで行われる処理の流れの一例を示すフローチャートである。
【図１１】他の答案用紙と異なる色で記入されている場合に行われる追加する処理の流れの一例を示すフローチャートである。
【図１２】問題が記載された答案用紙の一例を示す図であり、（Ｂ）は（Ａ）の答案用紙の記入欄の位置、記入者、及び記入欄の例を示す図である。
【発明を実施するための形態】
【００２９】
以下、本実施形態について図面を参照しつつ説明する。図１は、本実施形態に係る画像処理システムの概略構成を示す図である。
【００３０】
本実施形態に係る画像処理システム１０は、図１に示すように、画像形成装置１２と、複数の情報処理装置１４ａ、１４ｂ、・・・と、サーバ１６とを備えている。なお、情報処理装置１４ａ、１４ｂ・・・を区別して説明する必要がない場合は、符号末尾のアルファベットを省略して記載することがある。また、本実施形態では、画像形成装置１２は１つ備える例を説明するが、画像形成装置１２は複数備えてもよい。また、情報処理装置１４は複数備える例を説明するが１つでもよい。
【００３１】
各画像形成装置１２、情報処理装置１４、及びサーバ１６は、ネットワーク（ＬＡＮ（Local Area Network）、ＷＡＮ（Wide Area Network）、インターネット、イントラネット等）の通信回線１８を介して各々接続されている。そして、画像形成装置１２、情報処理装置１４、及びサーバ１６の各々は、通信回線１８を介して各種データの送受信を相互に行うことが可能とされている。
【００３２】
図２は、本実施形態に係る画像形成装置１２の電気系の要部構成を示すブロック図である。
【００３３】
本実施形態に係る画像形成装置１２は、図２に示すように、ＣＰＵ（Central Processing Unit）２０Ａ、ＲＯＭ（Read Only Memory）２０Ｂ、及びＲＡＭ（Random Access Memory）２０Ｃを含むコントロール・ユニット２０を備えている。ＣＰＵ２０Ａは、画像形成装置１２の全体の動作を司る。ＲＡＭ２０Ｃは、ＣＰＵ２０Ａによる各種プログラムの実行時のワークエリア等として用いられる。ＲＯＭ２０Ｂは、各種制御プログラムや各種パラメータ等が予め記憶される。そして、画像形成装置１２は、コントロール・ユニット２０の各部がシステムバス４２によって電気的に接続されている。
【００３４】
一方、本実施の形態に係る画像形成装置１２は、各種のデータやアプリケーション・プログラム等を記憶するＨＤＤ（hard disk drive）２６を備えている。また、画像形成装置１２は、ユーザインタフェース２２に接続され、ユーザインタフェース２２のディスプレイ２２Ａへの各種の操作画面等の表示を制御する表示制御部２８を備えている。また、画像形成装置１２は、ユーザインタフェース２２に接続され、ユーザインタフェース２２を介して入力される操作指示を検出する操作入力検出部３０を備えている。そして、画像形成装置１２では、ＨＤＤ２６、表示制御部２８、および操作入力検出部３０がシステムバス４２に電気的に接続されている。なお、本実施の形態に係る画像形成装置１２では、格納部としてＨＤＤ２６を用いるが、これに限らず、フラッシュメモリ等の不揮発性のものを用いてもよい。
【００３５】
また、本実施形態に係る画像形成装置１２は、読取制御部３２及び画像形成制御部３４を備えている。読取制御部３２は、原稿読取部５２による光学的な画像の読み取り動作、及び原稿搬送部による原稿送り動作を制御し、画像形成制御部３４は、画像形成部２４による画像形成処理、及び搬送部２５による画像形成部２４への用紙の搬送を制御する。
【００３６】
また、画像形成装置１２は、通信回線１８に接続された通信回線インタフェース（通信回線Ｉ／Ｆ）部３６及び抽出部としての画像処理部４４を備えている。通信回線Ｉ／Ｆ部３６は、当該通信回線１８に接続されたサーバ１６等の他の外部装置と通信データの送受信を行い、画像処理部４４は、原稿読取部５２によって読み取った読取画像に対して各種画像処理を行う。なお、画像処理部４４で行われる各種画像処理の詳細は後述する。
【００３７】
また、画像形成装置１２は、図示しない電話回線に接続され、当該電話回線に接続されているファクシミリ装置とファクシミリデータの送受信を行うファクシミリインタフェース（ファクシミリＩ／Ｆ）部３８を備えている。また、画像形成装置１２は、ファクシミリインタフェース部３８を介したファクシミリデータの送受信を制御する送受信制御部４０を備えている。
【００３８】
そして、画像形成装置１２では、送受信制御部４０、読取制御部３２、画像形成制御部３４、通信回線インタフェース部３６、ファクシミリインタフェース部３８、及び画像処理部４４がシステムバス４２に電気的に接続されている。
【００３９】
以上の構成により、本実施形態に係る画像形成装置１２は、ＣＰＵ２０Ａにより、ＲＡＭ２０Ｃ、ＲＯＭ２０Ｂ、及びＨＤＤ２６へのアクセスを各々実行する。また、画像形成装置１２は、ＣＰＵ２０Ａにより、表示制御部２８を介したユーザインタフェース２２のディスプレイ２２Ａへの操作画面、各種のメッセージ等の情報の表示の制御を実行する。また、画像形成装置１２は、ＣＰＵ２０Ａにより、読取制御部３２を介した原稿読取部５２及び原稿搬送部の作動の制御を実行する。また、画像形成装置１２は、ＣＰＵ２０Ａにより、画像形成制御部３４を介した画像形成部２４及び搬送部２５の作動の制御と、通信回線インタフェース部３６を介した通信データの送受信の制御と、を各々実行する。また、画像形成装置１２は、ＣＰＵ２０Ａにより、送受信制御部４０によるファクシミリインタフェース部３８を介したファクシミリデータの送受信の制御を実行する。さらに、画像形成装置１２は、ＣＰＵ２０Ａにより、操作入力検出部３０によって検出された操作情報に基づくユーザインタフェース２２における操作内容の把握が行われ、この操作内容に基づく各種の制御を実行する。
【００４０】
続いて、本実施形態に係る情報処理装置１４及びサーバ１６の電気系の要部構成について説明する。図３は、本実施形態に係る情報処理装置１４及びサーバ１６の電気系の要部構成を示すブロック図である。なお、情報処理装置１４及びサーバ１６は基本的には一般的なコンピュータの構成とされているので、情報処理装置１４を代表して説明する。
【００４１】
本実施の形態に係る情報処理装置１４は、図３に示すように、ＣＰＵ１４ａ、ＲＯＭ１４ｂ、ＲＡＭ１４ｃ、ＨＤＤ１４ｄ、キーボード１４ｅ、ディスプレイ１４ｆ、及び通信回線インタフェース（通信回線Ｉ／Ｆ）部１４ｇを備えている。ＣＰＵ１４Ａは、情報処理装置１４の全体の動作を司る。ＲＯＭ１４ｂは、各種制御プログラムや各種パラメータ等が予め記憶される。ＲＡＭ１４ｃは、ＣＰＵ１４ａによる各種プログラムの実行時のワークエリア等として用いられる。ＨＤＤ１４ｄは、各種のデータやアプリケーション・プログラム等が記憶される。キーボード１４ｅは各種の情報を入力するために用いられる。ディスプレイ１４ｆは、各種の情報を表示するために用いられる。通信回線インタフェース部１４ｇは、通信回線１８に接続され、当該通信回線１８に接続された他の装置と各種データの送受信を行う。以上の情報処理装置１４の各部はシステムバス１４ｈにより電気的に相互に接続されている。なお、本実施の形態に係る情報処理装置１４では、ＨＤＤ１４ｄを記憶部として用いるが、これに限らず、フラッシュメモリ等の他の不揮発性のものを用いてもよい。
【００４２】
以上の構成により、本実施の形態に係る情報処理装置１４は、ＣＰＵ１４ａにより、ＲＯＭ１４ｂ、ＲＡＭ１４ｃ、及びＨＤＤ１４ｄに対するアクセス、キーボード１４ｅを介した各種データの取得、ディスプレイ１４ｆに対する各種情報の表示を各々実行する。また、情報処理装置１４は、ＣＰＵ１４ａにより、通信回線インタフェース部１４ｇを介した通信データの送受信の制御を実行する。
【００４３】
続いて、上述のように構成された本実施形態に係る画像処理システム１０における画像形成装置１２の画像処理部４４で行われる処理について説明する。
【００４４】
本実施形態では、複数の記入者によって記入された答案用紙などの対象用紙を原稿読取部５２が読み取って、それぞれの記入者の記入部分に対応する画像を記入者毎に抽出する処理を行う。ここでは、一例として、対象用紙として答案用紙を用いた例を説明する。図４（Ａ）は、答案用紙の一例を示す模式図であり、図４（Ｂ）は答案用紙の記入欄の位置、記入者、及び記入欄の例を示す図である。
【００４５】
答案用紙５０は、例えば、図４（Ａ）に示すように、複数の記入欄が設けられている。図４（Ａ）では、解答者用の領域としての解答者記入欄５４、採点者用の領域としての採点者記入欄５６、及びコメント者用の領域としてのコメント者記入欄５８が設けられた例を示す。解答者記入欄５４には一例として学生ＩＤが記入され、採点者記入欄５６には総得点が記入され、コメント者記入欄５８にはコメントが記入される。各記入欄は、答案用紙５０における位置が予め定められている。
【００４６】
答案用紙５０は、図５に示すように、学生によって解答者記入欄５４に学生ＩＤが記入されると共に、解答が記入される。学生によって記入された答案用紙５０は、続いて、採点者によって採点が行われて、採点者記入欄５６に総得点が記入される。また、コメント者記入欄５８には、コメント者によってコメントが記入される。
【００４７】
本実施形態では、このように複数の記入者によって記入された答案用紙５０を原稿読取部５２が読み取って、読取画像から記入者毎に記入した部分に対応する画像を抽出する処理を画像処理部４４が行う。
【００４８】
例えば、利用者が、ユーザインタフェース２２を操作して答案用紙５０の登録を指示する。具体的には、図６（Ａ）に示すような答案登録の画面を表示して、各種設定を行って実行を指示する。図６（Ａ）の画面例では、各種設定として、教員ＩＤ、課題ＩＤ、及び返却方法を指定する場合の答案登録の画面例を示す。教員ＩＤ、課題ＩＤ、及び返却方法の指定方法としては、図６（Ａ）の例では、各欄の右側の三角部分を操作することにより、選択項目を表示して選択させてもよいし、図６（Ｂ）の返却方法のように、必要な項目を予め表示しておいて選択させるようにしてもよい。
【００４９】
また、ユーザインタフェース２２によって答案登録の実行が指示されると、画像形成装置１２は、読取制御部３２が原稿読取部５２を制御して答案用紙５０の読取りを開始し、読取画像をＨＤＤ２６に一旦記憶する。
【００５０】
次に、画像処理部４４が、ＨＤＤ２６に記憶された読取画像から記入者毎に記入した部分に対応する画像を抽出する。また、画像処理部４４は、記入者毎に記入した部分に対応する画像を抽出するに当たり、本実施形態では、記入者毎の記入欄から各記入者の特徴を特定する。本実施形態では、記入者が各記入欄に記入する際の色を特徴として特定する。すなわち、答案用紙５０に記入する際に各記入者は単一の色で記入すると考えられるため、読取画像から色毎に画像を抽出することで、記入者毎に記入した部分に対応する画像が抽出される。具体的には、解答者記入欄５４の位置に対応する領域の画像を抽出し、抽出した画像中の背景の色を除く最も多い色を記入者の特徴として特定する。そして、特定した色に対応する画像を読取画像から抽出することにより、解答者が記入した部分に対応する画像を抽出する。また、採点者記入欄５６の位置に対応する領域の画像を抽出し、抽出した画像中の背景の色を除く最も多い色を記入者の特徴として特定する。そして、特定した色に対応する画像を読取画像から抽出することにより、採点者が記入した部分に対応する画像を抽出する。さらに、コメント者記入欄５８の位置に対応する領域の画像を抽出し、抽出した画像中の背景の色を除く最も多い色を記入者の特徴として特定する。そして、特定した色に対応する画像を読取画像から抽出することにより、コメント者が記入した部分に対応する画像を抽出する。例えば、図７に示すように、解答者記入欄５４に解答者が黒で記入し、採点者記入欄５６に採点者が赤で記入し、コメント者記入欄５８にコメント者が青で記入する場合、それぞれの色を記入者の特徴として特定する。図７の例では、解答者の特徴を黒、採点者の特徴を赤、コメント者の特徴を青として特定する。
【００５１】
また、画像処理部４４は、記入者毎に抽出した画像をＨＤＤ２６に一旦記憶した後に、必要に応じて文字認識処理（所謂、ＯＣＲ（Optical Character Recognition/Reader））を行う。例えば、解答者記入欄５４に対応する画像に対して文字認識処理を行うことにより、学生ＩＤを特定する。
【００５２】
また、記入者毎に抽出した画像はＨＤＤ２６に一旦記憶した後、答案用紙５０の読取りを指示する際に予め指定された返却内容に従って、抽出した画像を組み合わせて合成し、図８に示すように、サーバ１６へ送信してサーバ１６の格納部としてのＨＤＤ１６ｄ等に格納する。サーバ１６に格納する際には、例えば、答案用紙５０から読み取った学生ＩＤ、答案登録の画面で指定された課題ＩＤ等に対応するフォルダに格納する。これにより、情報処理装置１４からサーバ１６にアクセスすることで、サーバ１６に格納された情報を返却された答案用紙５０として確認することが可能となる。なお、抽出した画像を組み合わせた返却パターンとしては、例えば、図８に示すように、そのままの読取画像を返却する場合、解答及びコメントのみを返却する場合、解答のみを返却する場合、返却なしの場合、コメントのみを返却する場合、採点のみを返却する場合などがある。
【００５３】
続いて、上述のように構成された本実施形態に係る画像処理システム１０のコントロール・ユニット２０で行われる具体的な処理について説明する。図９は、本実施形態に係る画像処理システム１０のコントロール・ユニット２０で行われる処理の流れの一例を示すフローチャートである。なお、図９の処理は、利用者がユーザインタフェース２２を操作して答案登録の画面の各種設定を指定して答案登録の実行を指示した場合に開始するものとして説明する。
【００５４】
ステップ１００では、コントロール・ユニット２０が、答案用紙５０の読取を指示することにより、読取制御部３２が原稿読取部５２の動作を制御し、答案用紙５０を読み取って読取画像を生成してステップ１０２へ移行する。
【００５５】
ステップ１０２では、コントロール・ユニット２０が、画像処理部４４を制御することにより、読取画像から解答者記入欄５４、採点者記入欄５６、及びコメント者記入欄５８のそれぞれの領域に対応する画像を抽出してステップ１０４へ移行する。すなわち、答案用紙５０の各記入欄は、図４（Ｂ）に示すように、位置が予め定められているので、予め定めた位置の領域に対応する画像を抽出する。
【００５６】
ステップ１０４では、コントロール・ユニット２０が、抽出異常が発生したか否かを判定する。該判定は、ステップ１０２の処理中に異常が発生したか否かを判定し、判定が否定された場合にはステップ１０６へ移行し、肯定された場合にはステップ１２６へ移行する。
【００５７】
ステップ１０６では、コントロール・ユニット２０が、画像処理部４４を制御し、解答者記入欄５４及び採点者記入欄５６の画像から文字認識処理を行って文字を認識してステップ１０８へ移行する。
【００５８】
ステップ１０８では、コントロール・ユニット２０が、文字認識の異常が発生したか否かを判定する。該判定は、ステップ１０６の処理中に異常が発生したか否かを判定し、判定が否定された場合にはステップ１１０へ移行し、肯定された場合にはステップ１２６へ移行する。
【００５９】
ステップ１１０では、コントロール・ユニット２０が、画像処理部４４を制御し、抽出した各画像内の色成分から背景を除いて最も多い色成分を特定してステップ１１２へ移行する。すなわち、各記入欄のそれぞれについて背景以外で最も多い色を特定することにより記入者が記入する際に使用した色を記入者の特徴として特定する。
【００６０】
ステップ１１２では、コントロール・ユニット２０が、色を特定する際に異常が発生したか否かを判定する。該判定は、ステップ１１０の処理中に異常が発生したか否かを判定し、判定が否定された場合にはステップ１１４へ移行し、肯定された場合にはステップ１２６へ移行する。
【００６１】
ステップ１１４では、コントロール・ユニット２０が、画像処理部４４を制御し、読取画像から特定した色の画像を抽出することにより、解答画像、採点画像、及びコメント画像を生成してステップ１１６へ移行する。すなわち、各記入者が記入した画像を記入者の特徴である色から判断して抽出することにより、記入者毎の画像として、解答画像、採点画像、及びコメント画像を生成してＨＤＤ２６に一旦格納する。
【００６２】
ステップ１１６では、コントロール・ユニット２０が、画像を生成する際に異常が発生したか否かを判定する。該判定は、ステップ１１４の処理中に異常が発生したか否かを判定し、判定が否定された場合にはステップ１１８へ移行し、肯定された場合にはステップ１２６へ移行する。
【００６３】
ステップ１１８では、コントロール・ユニット２０が、画像処理部４４を制御し、指定された返却方法に従って抽出した画像を組み合わせて合成した返却画像を生成してステップ１２０へ移行する。すなわち、答案登録の画面で予め設定した返却方法に従って、抽出した画像を組み合わせて合成することにより返却画像を生成する。
【００６４】
ステップ１２０では、コントロール・ユニット２０が、返却画像を生成している際に異常が発生したか否かを判定する。該判定は、ステップ１１８の処理中に異常が発生したか否かを判定し、判定が否定された場合にはステップ１２２へ移行し、肯定された場合にはステップ１２６へ移行する。
【００６５】
ステップ１２２では、コントロール・ユニット２０が、通信回線Ｉ／Ｆ３６を制御し、抽出した画像、文字認識結果、生成した返却画像、及び答案登録の画面で設定した登録情報をサーバ１６に送信してステップ１２４へ移行する。なお、ステップ１２２は出力部に対応する。
【００６６】
ステップ１２４では、コントロール・ユニット２０が、読み取る答案用紙５０が未だあるか否かを判定する。該判定は、例えば、原稿読取部５２に読取対象の答案用紙５０が残っているか否かを判定し、該判定が肯定された場合にはステップ１００に戻って上述の処理を繰り返し、判定が否定された場合には一連の処理を終了する。
【００６７】
一方、ステップ１２６では、コントロール・ユニット２０が、表示制御部２８を制御し、異常を報知して一連の処理を終了する。例えば、発生した異常に対応する内容をユーザインタフェース２２に表示することにより、異常が発生したことを報知する。
【００６８】
次に、本実施形態に係る画像処理システム１０のサーバ１６で行われる具体的な処理について説明する。図１０は、本実施形態に係る画像処理システム１０のサーバ１６で行われる処理の流れの一例を示すフローチャートである。なお、図１０の処理は、画像形成装置１２からの答案を登録する要求、情報処理装置１４からの返却画像を閲覧する要求等の外部から何らかの要求が行われた場合に開始するものとして説明する。
【００６９】
ステップ２００では、ＣＰＵ１６ａが、画像形成装置１２から答案用紙５０の登録が要求されたか否かを判定する。該判定が肯定された場合にはステップ２０２へ移行し、否定された場合にはステップ２０４へ移行する。
【００７０】
ステップ２０２では、ＣＰＵ１６ａが、登録情報（教員ＩＤや課題ＩＤ等）、及び文字認識結果（学生ＩＤや採点結果等）をＨＤＤ１６ｄ内に予め作成された該当フォルダに格納して一連の処理を終了する。すなわち、画像形成装置１２から送信された情報を、ＨＤＤ１６ｄ内のフォルダに格納する。
【００７１】
一方、ステップ２０４では、ＣＰＵ１６ａが、情報処理装置１４から返却画像の閲覧の要求が行われたか否かを判定する。該判定が肯定された場合にはステップ２０６へ移行し、否定された場合には一連の処理を終了して他の要求に対応する処理を行う。
【００７２】
ステップ２０６では、ＣＰＵ１６ａが、指示に対応する情報をＨＤＤ１６ｄから読み出して要求元の情報処理装置１４へ送信して一連の処理をする。これにより、情報処理装置１４では、サーバ１６から送信された返却画像が表示される。
【００７３】
ところで、本実施形態では、解答者が他の答案用紙５０の解答者と異なる色で色を間違って記入した場合でも解答者が記入した色の画像を抽出することで解答者が記入した部分の画像が抽出されるが、他の答案用紙と異なってしまう。そこで、他の答案用紙５０と異なる色で記入されている場合には、抽出した画像の色を補正する機能を備えてもよい。例えば、図９のステップ１２２において、抽出した画像をサーバ１６に送信する前に、色を補正する処理を追加してもよい。図１１は、他の答案用紙５０と異なる色で記入されている場合に行われる追加する処理の流れの一例を示すフローチャートである。なお、図１１の処理は、例えば、ステップ１１６とステップ１１８の間に追加する。
【００７４】
具体的には、ステップ１１７Ａでは、コントロール・ユニット２０が、ステップ１１４で生成した解答画像、採点画像、及びコメント画像のそれぞれについて、他の答案用紙５０と画像の色を比較してステップ１１７Ｂへ移行する。
【００７５】
ステップ１１７Ｂでは、コントロール・ユニット２０が、比較した各画像について、他の答案用紙５０と異なる色であるか否かを判定する。該判定が肯定された場合にはステップ１１７Ｃへ移行し、否定された場合には図１１の処理をリターンして図９のステップ１１８へ移行する。
【００７６】
ステップ１１７Ｃでは、コントロール・ユニット２０が、他の答案用紙５０とは異なる色であった画像に対して、他の答案用紙５０と同じ色になるように画像の色を補正して図１１の処理をリターンして図９のステップ１１８へ移行する。
【００７７】
このように処理を追加することにより、記入者が間違った色で記入してもサーバ１６に登録する際には他の答案用紙５０と同じ色に補正されて登録される。
【００７８】
なお、上記の実施形態において、答案用紙５０は、出題された問題がない場合を例に挙げて説明したが、これに限るものではない。例えば、図１２（Ａ）、（Ｂ）に示すように、出題の問題があるものを適用してもよい。この場合、共通画像となる問題が記載された問題領域（図１２（Ａ）の点線領域）は予め定めておき、問題領域に対応する問題画像を抽出してから、記入者毎の画像を抽出してもよい。或いは、問題領域は予め定めておかなくても、記入者の特徴に対応しない領域（例えば、記入者の色とは異なる色の領域）を問題領域として抽出してもよい。また、抽出した画像を組み合わせて返却画像を生成する際には、設定に応じて問題画像を組み合わせて返却画像を生成してもよい。
【００７９】
また、上記の実施形態では、記入者の特徴として画像の色を特定する例を説明したが、特徴としては、これに限るものではない。例えば、記入者が使用するペンなどにより線の太さが記入者によって異なることも想定されるため、線の太さを特徴として特定してもよい。或いは、色及び線の太さのそれぞれを特徴として特定してもよい。
【００８０】
また、上記の実施形態では、対象用紙として答案用紙５０を一例として説明したが、これに限るものではない。例えば、各種伝票や、請求書など他の対象用紙を適用してもよい。
【００８１】
また、上記の実施形態に係るコントロール・ユニット２０及びサーバ１６の少なくとも一方で行われる処理は、ソフトウエアで行われる処理としてもよいし、ハードウエアで行われる処理としてもよいし、双方を組み合わせた処理としてもよい。また、コントロール・ユニット２０及びサーバ１６の少なくとも一方で行われる処理は、プログラムとして記憶媒体に記憶して流通させるようにしてもよい。
【００８２】
また、本発明は、上記に限定されるものでなく、上記以外にも、その主旨を逸脱しない範囲内において種々変形して実施可能であることは勿論である。
【符号の説明】
【００８３】
１０    画像処理システム
１２    画像形成装置
１４    情報処理装置
１６    サーバ
２０    コントロール・ユニット
２６    ＨＤＤ
３２    読取制御部
４４    画像処理部
５０    答案用紙
５２    原稿読取部
５４    解答者記入欄
５６    採点者記入欄
５８    コメント者記入欄
【図１】
2019149616.tif 000003
【図２】
2019149616.tif 000004
【図３】
2019149616.tif 000005
【図４】
2019149616.tif 000006
【図５】
2019149616.tif 000007
【図６】
2019149616.tif 000008
【図７】
2019149616.tif 000009
【図８】
2019149616.tif 000010
【図９】
2019149616.tif 000011
【図１０】
2019149616.tif 000012
【図１１】
2019149616.tif 000013
【図１２】
2019149616.tif 000014